(57)【特許請求の範囲】
【請求項１】
第１のカセットブロックと、第２のカセットブロックと、前記第１のカセットブロック及び前記第２のカセットブロックを収容するとともに前記第１のカセットブロックの下面及び前記第２のカセットブロックの下面を覆う本体ケースと、を備え、前記第１のカセットブロックに設けられたロック部と前記第２のカセットブロックに設けられたロック受け部とが係止されることによって前記第１のカセットブロックと前記第２のカセットブロックとが組み付けられる電気接続箱において、
前記第１のカセットブロック側から前記第２のカセットブロック側に電源を供給するための配電部材を備え、
前記配電部材が、入力電源線と、該入力電源線の両端部に接続され、前記第１のカセットブロックの下面及び前記第２のカセットブロックの下面にそれぞれ嵌合される一対のコネクタと、で構成され、
前記入力電源線が前記一対のコネクタ各々から導出される方向が、前記一対のコネクタの前記第１のカセットブロック及び前記第２のカセットブロックへの嵌合方向と直交する方向である
ことを特徴とする電気接続箱。
【請求項２】
前記第１のカセットブロック及び前記第２のカセットブロックの一方における上面側に、他方に当接して、前記第１のカセットブロック及び前記第２のカセットブロックのガタを防止する凸部が設けられている
ことを特徴とする請求項１に記載の電気接続箱。
【請求項３】
前記第１のカセットブロックの下面及び前記第２のカセットブロックの下面には複数の電線が取り付けられており、
前記入力電源線が、該入力電源線近傍の複数の前記電線を、前記第１のカセットブロックの下面及び前記第２のカセットブロックの下面との間に挟んでいる
ことを特徴とする請求項１または請求項２に記載の電気接続箱。
【発明の詳細な説明】
【技術分野】
【０００１】
本発明は、自動車に搭載される電気接続箱に関するものであり、特に、複数のカセットブロックを備えた電気接続箱に関するものである。
【背景技術】
【０００２】
自動車に搭載される電気接続箱は、車種に応じていろいろな構造のものがあるが、例えば、図６に示す電気接続箱２０１ように、電子部品２１１が装着された複数のカセットブロック２０２，２０３と、これらカセットブロック２０２，２０３を収容する本体ケース２０６と、アッパカバー２０７と、を備えた構造のものがある（特許文献１を参照。）。
【０００３】
上記カセットブロック２０２及び上記カセットブロック２０３には、互いに係止する係止構造（不図示）と、本体ケース２０６の底壁２６０にボルト２０４及びナット２０５で固定されるブラケット２２１，２３１と、が設けられている。これらカセットブロック２０２，２０３は、前記係止構造によって互いに組み付けられた状態で本体ケース２０６内に挿入される。そして、予め本体ケース２０６に組み付けられたボルト２０４が前記ブラケット２２１，２３１に設けられた貫通孔を通され、該ボルト２０４にナット２０５が螺合されることによって、カセットブロック２０２，２０３が本体ケース２０６に固定される。
【先行技術文献】
【特許文献】
【０００４】
【特許文献１】特願２０１０−９１２１１
【発明の概要】
【発明が解決しようとする課題】
【０００５】
しかしながら、上述した電気接続箱２０１においては、以下に示す問題があった。すなわち、カセットブロック２０２，２０３に設けられた係止構造は、多少の寸法誤差が生じている場合でも互いに係止可能なように、ある程度の余裕を見込んで設計されている。このことから、互いに組み付けられたカセットブロック２０２，２０３同士にはガタがあり、そのために、これらカセットブロック２０２，２０３を本体ケース２０６内に挿入してブラケット２２１，２３１の貫通孔にボルト２０４を通す作業がやり難いという問題があった。
【０００６】
したがって、本発明は、本体ケースに固定される前の互いに組み付けられたカセットブロック同士にガタが生じることを防止できる電気接続箱を提供することを目的とする。
【課題を解決するための手段】
【０００７】
上記目的を達成するために請求項１に記載された発明は、第１のカセットブロックと、第２のカセットブロックと、前記第１のカセットブロック及び前記第２のカセットブロックを収容するとともに前記第１のカセットブロックの下面及び前記第２のカセットブロックの下面を覆う本体ケースと、を備え、前記第１のカセットブロックに設けられたロック部と前記第２のカセットブロックに設けられたロック受け部とが係止されることによって前記第１のカセットブロックと前記第２のカセットブロックとが組み付けられる電気接続箱において、前記第１のカセットブロック側から前記第２のカセットブロック側に電源を供給するための配電部材を備え、前記配電部材が、入力電源線と、該入力電源線の両端部に接続され、前記第１のカセットブロックの下面及び前記第２のカセットブロックの下面にそれぞれ嵌合される一対のコネクタと、で構成され、前記入力電源線が前記一対のコネクタ各々から導出される方向が、前記一対のコネクタの前記第１のカセットブロック及び前記第２のカセットブロックへの嵌合方向と直交する方向であることを特徴とする電気接続箱である。
【０００８】
請求項２に記載された発明は、請求項１に記載された発明において、前記第１のカセットブロック及び前記第２のカセットブロックの一方における上面側に、他方に当接して、前記第１のカセットブロック及び前記第２のカセットブロックのガタを防止する凸部が設けられていることを特徴とするものである。
【０００９】
請求項３に記載された発明は、請求項１または請求項２に記載された発明において、前記第１のカセットブロックの下面及び前記第２のカセットブロックの下面には複数の電線が取り付けられており、前記入力電源線が、該入力電源線近傍の複数の前記電線を、前記第１のカセットブロックの下面及び前記第２のカセットブロックの下面との間に挟んでいることを特徴とするものである。
【発明の効果】
【００１０】
請求項１に記載された発明によれば、前記第１のカセットブロック側から前記第２のカセットブロック側に電源を供給するための配電部材を備え、前記配電部材が、入力電源線と、該入力電源線の両端部に接続され、前記第１のカセットブロックの下面及び前記第２のカセットブロックの下面にそれぞれ嵌合される一対のコネクタと、で構成され、前記入力電源線が前記一対のコネクタ各々から導出される方向が、前記一対のコネクタの前記第１のカセットブロック及び前記第２のカセットブロックへの嵌合方向と直交する方向であるので、入力電源線の剛性によってカセットブロック同士のガタを抑えることができる。よって、本体ケースに固定される前の互いに組み付けられたカセットブロック同士にガタが生じることを防止できる電気接続箱を提供することができる。
【００１１】
請求項２に記載された発明によれば、前記第１のカセットブロック及び前記第２のカセットブロックの一方における上面側に、他方に当接して、前記第１のカセットブロック及び前記第２のカセットブロックのガタを防止する凸部が設けられているので、上面側のガタを凸部で抑え、下面側のガタを入力電源線の剛性によって抑えることとなり、より一層、カセットブロック同士のガタを抑えることができる。
【００１２】
請求項３に記載された発明によれば、前記第１のカセットブロックの下面及び前記第２のカセットブロックの下面には複数の電線が取り付けられており、前記入力電源線が、該入力電源線近傍の複数の前記電線を、前記第１のカセットブロックの下面及び前記第２のカセットブロックの下面との間に挟んでいるので、より一層カセットブロック同士のガタを抑えることができる上に、電線の位置を規制することができ、該電線の傷付きや断線を防止することができる。
【図面の簡単な説明】
【００１３】
【図１】本発明の一実施の形態にかかる電気接続箱を示す斜視図である。
【図２】図１に示された電気接続箱の分解図である。
【図３】図１に示された第１のカセットブロック及び第２のカセットブロックの平面図である。
【図４】図１に示された第１のカセットブロック及び第２のカセットブロックの斜視図である。
【図５】図１に示された第１のカセットブロック及び第２のカセットブロックの下面を示す斜視図である。
【図６】先行技術文献に示された電気接続箱の断面図である。
【発明を実施するための形態】
【００１４】
本発明の一実施の形態にかかる電気接続箱１を図１〜５を参照して説明する。電気接続箱１は、自動車に搭載されて、該自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【００１５】
図１，２に示すように、電気接続箱１は、複数の電子部品１１，１２，１３，１４と、複数のバスバ１５と、これら複数の電子部品１１，１２，１３，１４及び複数のバスバ１５が装着される第１のカセットブロック２、第２のカセットブロック３、第３のカセットブロック４と、第１のカセットブロック２側から第２のカセットブロック３側に電源を供給するための配電部材５と、カセットブロック２，３の下面２ｂ，３ｂ側に取り付けられるインナーカバー１０５と、カセットブロック２，３，４及びインナーカバー１０５を収容する本体ケース１０６と、本体ケース１０６の上面を覆うアッパカバー１０７と、本体ケース１０６内に引き込まれる電源線１０の外周に取り付けられて本体ケース１０６を防水するグロメット１０９と、本体ケース１０６外に導出されるワイヤハーネスの電線８の束の外周に取り付けられて本体ケース１０６を防水するグロメット１０８と、を備えている。
【００１６】
上記第１のカセットブロック２は、合成樹脂で構成されており、図３，４に示すように、ブロック状に形成された本体部２０と、複数のブラケット２１，２２と、複数のロック部２７，２８，２９と、リブ９（特許請求の範囲の凸部）と、を備えている。
【００１７】
上記本体部２０には、電子部品１１，１２が装着される部品装着部２３，２４と、バスバ１５が差し込まれるバスバ取付溝２５と、ボルト１６が取り付けられるボルト取付部２６と、が設けられている。前記バスバ１５は、金属板にプレス加工が施されて得られるものである。前記ボルト１６は、上記電源線１０の端末に接続された端子金具１７と、前記バスバ１５の端部とを共締めするためのボルトである。このボルト１６には、ナット１８が螺合される。
【００１８】
また、図１〜４中の符号２ａは、本体部２０の上面、すなわち第１のカセットブロック２の上面を表しており、符号２ｂは、本体部２０の下面、すなわち第１のカセットブロック２の下面を表している。また、本明細書における「上」「下」は、説明の便宜上図中における方向をいうものであって、本発明にかかる電気接続箱１を実際に使用する際の上下方向とは必ずしも一致するものではない。
【００１９】
上記ブラケット２１は、本体部２０の外側面に設けられており、本体ケース１０６に取り付けられたボルトが通される貫通孔２１ａが形成されている。このブラケット２１は、第２のカセットブロック３に設けられたブラケット３１と重ねられた状態で前記ボルト及びナットによって本体ケース１０６に固定される。上記ブラケット２２は、本体部２０の角部に設けられており、本体ケース１０６の底壁に取り付けられたボルトが通される貫通孔２２ａが形成されている。このブラケット２２は、前記ボルト及びナットによって本体ケース１０６の底壁に固定される。
【００２０】
上記ロック部２７，２８，２９は、本体部２０の外側面に設けられている。ロック部２７には、第３のカセットブロック４に設けられたロック受け部が係止する。ロック部２８には、本体ケース１０６の側壁に設けられたロック受け部が係止する。ロック部２９には、第２のカセットブロック３に設けられたロック受け部３７が係止する。このロック部２９は、矢印Ｙ方向に平行に延びた一対のレール２９ｂと、一対のレール２９ｂ間に設けられたロック突起２９ａと、で構成されている。また、ロック部２９は、矢印Ｘ方向に沿って２つ設けられている。
【００２１】
上記リブ９は、図３，４に示すように、一対のロック部２９の間でかつ第１のカセットブロック２の上面２ａ側の位置に設けられている。このリブ９は、矢印Ｙ方向に延びており、矢印Ｘ方向から見た形状が略三角形に形成されている。このリブ９は、第２のカセットブロック３に当接することにより、第１のカセットブロック２及び第２のカセットブロック３の矢印Ｚ方向のガタを防止する。
【００２２】
上記第２のカセットブロック３は、合成樹脂で構成されており、図３，４に示すように、ブロック状に形成された本体部３０と、複数のブラケット３１，３２と、複数のロック受け部３６，３７と、を備えている。
【００２３】
上記本体部３０には、電子部品１１，１３が装着される部品装着部３３，３４と、バスバ取付溝（不図示）と、が設けられている。
【００２４】
また、図１〜４中の符号３ａは、本体部３０の上面、すなわち第２のカセットブロック３の上面を表しており、符号３ｂは、本体部３０の下面、すなわち第２のカセットブロック３の下面を表している。
【００２５】
上記ブラケット３１は、本体部３０の角部に設けられており、本体ケース１０６に取り付けられたボルトが通される貫通孔３１ｂが形成されている。このブラケット３１は、前述したように、第１のカセットブロック２に設けられたブラケット２１と重ねられた状態で前記ボルト及びナットによって本体ケース１０６に固定される。上記ブラケット３２は、本体部３０の他の角部に設けられており、本体ケース１０６の底壁に取り付けられたボルトが通される貫通孔３２ａが形成されている。このブラケット３２は、前記ボルト及びナットによって本体ケース１０６の底壁に固定される。
【００２６】
上記ロック受け部３６，３７は、本体部３０の外側面に設けられている。ロック受け部３６には、本体ケース１０６の側壁に設けられたロック部が係止する。ロック受け部３７には、第１のカセットブロック２に設けられたロック部２９が係止する。このロック受け部３７は、矢印Ｙ方向に平行に延びた一対のレール３７ｂと、一対のレール３７ｂ間に設けられたロック突起３７ａと、で構成されている。一対のレール３７ｂは、互いの間に一対のレール２９ｂを矢印Ｙ方向に移動可能に位置付ける。また、ロック突起３７ａは、ロック突起２９ａの矢印Ｙ方向上方に位置する格好でロック突起２９ａに係止する。また、ロック受け部３７は、ロック部２９と同数（２つ）設けられている。
【００２７】
上述した第１のカセットブロック２と第２のカセットブロック３とは、矢印Ｙ方向に相対的に近付けられることによって、ロック部２９とロック受け部３７とが係止されて組み付けられる。このように第１のカセットブロック２と第２のカセットブロック３とが組み付けられた状態では、ロック部２９とロック受け部３７とが係止していることによって、矢印Ｘ方向、矢印Ｙ方向、矢印Ｚ方向の全方向において、カセットブロック２，３同士の相対的な移動が規制される。なお、ロック部２９とロック受け部３７とは、多少の寸法誤差が生じている場合でも互いに係止可能なように、ある程度の余裕を見込んで設計されている。このことから、互いに組み付けられた第１のカセットブロック２と第２のカセットブロック３とは、矢印Ｘ方向、矢印Ｙ方向、矢印Ｚ方向の全方向において、ガタ程度の移動、すなわち位置ずれ、が許容されている。
【００２８】
上記第３のカセットブロック４は、合成樹脂で構成されており、電子部品１４と該電子部品１４に接続されるワイヤハーネスの電線８とを保持する。この第３のカセットブロック４は、前述したように、第１のカセットブロック２の本体部２０の外側面に取り付けられる。
【００２９】
また、上記部品装着部２３，２４、上記ボルト取付部２６は第１のカセットブロック２の上面２ａに設けられており、上記部品装着部３３，３４は第２のカセットブロック３の上面３ａに設けられている。また、上記ワイヤハーネスの複数の電線８は、第１のカセットブロック２の下面２ｂ、第２のカセットブロック３の下面３ｂ、第３のカセットブロック４の下面に取り付けられ、各電子部品１１，１２，１３，１４またはバスバ１５に電気接続される。また、後述する配電部材５は、第１のカセットブロック２の下面２ｂ及び第２のカセットブロック３の下面３ｂに取り付けられ、カセットブロック２，３内のバスバ１５に電気接続される。
【００３０】
上記配電部材５は、バッテリ、オルタネータ等の電源から電源線１０を介して第１のカセットブロック２に入力された大電流を第２のカセットブロック３に分岐するための部材である。この配電部材５は、図４，５に示すように、入力電源線６と、該入力電源線６の両端部に接続され、第１のカセットブロック２の下面２ｂ及び第２のカセットブロック３の下面３ｂにそれぞれ嵌合される一対のコネクタ７と、で構成されている。前記入力電源線６は、複数の素線からなる芯線と、この芯線を被覆した絶縁被覆と、で構成されている。前記コネクタ７は、前記芯線と電気接続された端子金具と、この端子金具を収容した合成樹脂製のハウジングと、で構成されている。このような一対のコネクタ７は、前記ハウジングがカセットブロック２，３の下面２ｂ，３ｂにそれぞれ嵌合されることで、前記端子金具がカセットブロック２，３内の各バスバ１５にそれぞれ嵌合されて該バスバ１５に電気接続される。
【００３１】
すなわち、電気接続箱１においては、電源から電源線１０を介して第１のカセットブロック２のバスバ１５に入力された大電流が、該バスバ１５によって分岐され、そして、該バスバ１５に電気接続された各電子部品１１，１２を介してまたは電子部品１１，１２を介さず各電線８によって各電子機器側に供給される。また、電源から電源線１０を介して第１のカセットブロック２のバスバ１５に入力された大電流の一部が、配電部材５を介して第２のカセットブロック３のバスバ１５に入力され、該バスバ１５によって分岐され、そして、該バスバ１５に電気接続された各電子部品１１，１３を介してまたは電子部品１１，１３を介さず各電線８によって各電子機器側に供給される。また、前記複数の電線８は、図５に示すように、一束にまとめられた状態で本体ケース１０６外に導出される。
【００３２】
また、本発明においては、上記入力電源線６が上記一対のコネクタ７各々から導出される方向（図５中の矢印Ａ方向、矢印Ｂ方向）が、一対のコネクタ７の第１のカセットブロック２及び第２のカセットブロック３への嵌合方向（図５中の矢印Ｙ方向）と直交する方向とされている。このような本発明によれば、本体ケース１０６に固定される前の、互いに組み付けられたカセットブロック２，３同士の全方向のガタを、入力電源線６の剛性によって抑えることができる。また、電気接続箱１の矢印Ｙ方向の寸法を小さくすることができる。
【００３３】
さらに、本発明においては、図５に示すように、入力電源線６の一端が一方のコネクタ７から導出される方向（図５中の矢印Ａ方向）と、入力電源線６の他端が他方のコネクタ７から導出される方向（図５中の矢印Ｂ方向）と、が直交しており、入力電源線６が全体として略Ｌ字状に曲げられている。このような本発明によれば、略Ｌ字状に曲げられた入力電源線６の弾力が、第１のカセットブロック２と第２のカセットブロック３とを矢印Ｚ方向に互いに離すように作用するので、これらカセットブロック２，３同士の矢印Ｚ方向のガタを抑えることができる。
【００３４】
また、本発明においては、第１のカセットブロック２の上面２ａ側に上記リブ９が設けられているので、カセットブロック２，３の上面２ａ，３ａ側のガタをリブ９で抑え、下面２ｂ，３ｂ側のガタを入力電源線６の剛性によって抑えることとなり、より一層、カセットブロック２，３同士のガタを抑えることができる。
【００３５】
また、本発明においては、図５に示すように、入力電源線６が、該入力電源線６近傍の複数の電線８を、第１のカセットブロック２の下面２ｂ及び第２のカセットブロック３の下面３ｂに向かって押し付けている。このようにすることで、前記電線８の位置を規制することができ、これら電線８がバスバ１５のエッジ等に当たって傷付いたり断線したりすることを防止できる。また、本発明においては、必ずしも入力電源線６がその近傍の電線８を下面２ｂ，３ｂに向かって押し付けていなくても良く、前記電線８と非接触であっても良い。
【００３６】
上記本体ケース１０６は、長方形状の底壁と、この底壁の外縁から立設した側壁と、により、一方向に開口した箱状に形成されている。また、本体ケース１０６の内側には、上記ブラケット２１，２２，３１，３２を固定するためのボルトが４つ取り付けられている。また、これらボルトは、軸方向が矢印Ｙ方向と平行になる向きで本体ケース１０６の内側に取り付けられている。上記カセットブロック２，３，４は、下面２ｂ，３ｂが前記底壁と相対する向きで本体ケース１０６に収容される。
【００３７】
上述した電気接続箱１は、以下の手順で組み立てられる。
【００３８】
まず、ボルト１６、バスバ１５、複数の電子部品１１，１２，１３，１４等の各部品を各カセットブロック２，３，４に装着する。
【００３９】
次に、第１のカセットブロック２のロック部２９と第２のカセットブロック３のロック受け部３７とを矢印Ｙに沿って近付けて係止させ、第１のカセットブロック２と第２のカセットブロック３とを組み付ける。同様に、第１のカセットブロック２のロック部２７と第３のカセットブロック４のロック受け部とを矢印Ｙに沿って近付けて係止させ、第１のカセットブロック２と第３のカセットブロック４とを組み付ける。
【００４０】
次に、ワイヤハーネスの複数の電線８を各電子部品１１，１２，１３，１４及びバスバ１５に接続する。そして、電線８がバスバ１５のエッジ等に接触しないように注意しながら、配電部材５の一対のコネクタ７をカセットブロック２，３の下面２ｂ，３ｂにそれぞれ嵌合させ、入力電源線６で該入力電源線６近傍の電線８を押さえる。
【００４１】
次に、電源線１０の端末の端子金具１７とバスバ１５の端部とを、ボルト１６及びナット１８によって共締めする。
【００４２】
次に、互いに組み付けられたカセットブロック２，３の下面２ｂ，３ｂ側にインナーカバー１０５を取り付ける。なお、このインナーカバー１０５は、一体化されたカセットブロック２，３，４を本体ケース１０６内に挿入する際に、電線８が噛み込まれることを防止するためのものである。
【００４３】
次に、一体化されたカセットブロック２，３，４及びインナーカバー１０５を本体ケース１０６内に挿入するとともに、各ブラケット２１，２２，３１，３２の貫通孔２１ａ，２２ａ，３１ｂ，３２ａに本体ケース１０６の内側に取り付けられた各ボルトを通す。この作業を行うに当たって、本発明では、前述したように、互いに組み付けられたカセットブロック２，３同士のガタが抑えられていることから、各貫通孔２１ａ，２２ａ，３１ｂ，３２ａと各ボルトとの位置が揃い易くなっており、そのために、貫通孔２１ａ，２２ａ，３１ｂ，３２ａにボルトをスムーズに通すことができる。続いて、前記各ボルトにナットを螺合させて、カセットブロック２，３，４及びインナーカバー１０５を本体ケース１０６に固定する。
【００４４】
次に、電源線１０の外周に取り付けられたグロメット１０９と、ワイヤハーネスの電線束の外周に取り付けられたグロメット１０８とを本体ケース１０６の側壁に設けられた各挿通孔に取り付ける。そして、本体ケース１０６の上面にアッパカバー１０７を取り付ける。このような手順で電気接続箱１が組み立てられる。
【００４５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４６】
１  電気接続箱
２  第１のカセットブロック
２ｂ  下面
３  第２のカセットブロック
３ｂ  下面
５  配電部材
６  入力電源線
７  コネクタ
２９  ロック部
３７  ロック受け部
１０６  本体ケース
【図１】
0005789152.tif 000002
【図２】
0005789152.tif 000003
【図３】
0005789152.tif 000004
【図４】
0005789152.tif 000005
【図５】
0005789152.tif 000006
【図６】
0005789152.tif 000007